(57)【要約】      （修正有）【課題】取付けが簡単であり、良好な外観を呈する天井周りカバーを提供する。【解決手段】建築物の壁躯体に対して所定の間隙をおいて設置された天井材の周縁に、間隙を遮蔽するように取り付けられる。天井材の周縁に当接されるカバー本体２２と、カバー本体２２に幅方向に横断するように配置され、一端部２４Ａがカバー本体の一方側縁２２Ａに固定されて他端部２４Ｂにより天井材の周縁に当接されたカバー本体２２を天井材に保持する押えばね２４と、一端部２６Ａがカバー本体の一方側縁２２Ａに固定されて他端部２６Ｂにより天井材の端面を受け止める受け止めばね２６とを備える。押えばね２４は、カバー本体２２の一方側縁２２Ａに固定される一端部２４Ａの近傍部分２４Ｃが概略半円形状に湾曲成形され、他端部２４Ｂがカバー本体２２の他方側縁２２Ｂより外方に突出し、かつカバー本体２２の平面部２２Ｃに対して外方に反り返るように屈曲して形成されている。【選択図】図１
0003177138.tif 000002
【実用新案登録請求の範囲】
【請求項１】
建築物の壁躯体に対して所定の間隙をおいて設置された天井材の周縁に、前記間隙を遮蔽するように取り付けられる天井周りカバーであって、
帯状の剛性板からなり、前記天井材の周縁に当接されるカバー本体と、
前記カバー本体に幅方向に横断するように配置され、一端部が前記カバー本体の一方側縁に固定されて他端部により前記天井材の周縁に当接された前記カバー本体を前記天井材に保持する押えばねと、
一端部が前記カバー本体の一方側縁に固定されて他端部により前記天井材の端面を受け止める受け止めばねとを備え、
前記押えばねは、前記カバー本体の前記一方側縁に固定される端部の近傍部分が概略半円形状に湾曲成形され、他端部が前記カバー本体の他方側縁より外方に突出し、かつ前記カバー本体の平面部に対して外方に反り返るように屈曲して形成されていることを特徴とする天井周りカバー。
【請求項２】
請求項１に記載の天井周りカバーにおいて、
前記天井材は建築物の天井躯体に吊り下げられて設置され、
前記カバー本体は、長さ方向の一方側縁を折り曲げて立上げ部が設けられ、
前記押えばねは、前記カバー本体の平面部に対して接離自在に弾性変形するように屈曲成形された帯状の板ばねからなり、平面部が前記カバー本体の平面部に対面して配置され、
前記受け止めばねは、前記カバー本体の他方側縁に向かって伸縮自在に弾性変形するようにほぼＺ字型に屈曲成形された帯状の板ばねからなり、平面部が前記カバー本体の平面部に対して直交して配置されていることを特徴とする天井周りカバー。
【請求項３】
請求項１又は２に記載の天井周りカバーにおいて、
前記受け止めばねは、前記天井材の端面を受け止める他端部が前記天井材の周縁厚みより大きい幅に形成されていることを特徴とする天井周りカバー。
【請求項４】
請求項１乃至３のいずれかに記載の天井周りカバーにおいて、
前記カバー本体は、マグネシウム合金より形成されていることを特徴とする天井周りカバー。
【考案の詳細な説明】
【技術分野】
【０００１】
本考案は、建築物の壁躯体に対して所定の間隙をおいて設置された天井材の周縁に、同間隙を遮蔽するように取り付けられる天井周りカバーに関する。
【背景技術】
【０００２】
地震時などに壁躯体と天井材とが相対的に動き、壁躯体と天井材との間の隙間が急激に変化し、いったん壁躯体から離れた天井材が壁躯体に激突して破損したり、天井材が落下したりすることがある。
【０００３】
これを避けるために、従来から、壁躯体と天井材との間に一定の間隙を形成し、この一定の間隙にジョイント材を配置し、地震時の変位をジョイント材に吸収させる構造の天井用エキスパンションジョイント材を使用することが提案されている（特許文献１参照）。
【０００４】
従来の天井用エキスパンションジョイント材は、断面Ｌ字形あるいは平坦形の板状カバー材を使用したもので、カバー材を建築物の壁躯体から突出するように配置すると共に、カバー材の一端を壁躯体に固定し、カバー材の他端側に天井材を載置するようにする。地震その他の外力により壁躯体が幅方向に変動した場合は、壁躯体に固定されたカバー材と天井材とが相対的にスライド移動してカバー材と天井材との間に生じた変位を吸収する。
【先行技術文献】
【特許文献】
【０００５】
【特許文献１】特開２０１２−４７０１０号公報
【考案の概要】
【考案が解決しようとする課題】
【０００６】
しかしながら、上記従来の天井用エキスパンションジョイント材では、ジョイント材が壁躯体に固定される構成であるために、取付けに手間がかかり、特に大型店舗や大ホール等の大規模天井の天井材への対応が煩雑である。
【０００７】
本考案は、上記の課題を解決するためになされたもので、取付けが簡単であり、簡易な構造で天井材の変動に柔軟に追従して天井材の変動を確実に吸収でき、良好な外観を呈する天井周りカバーを提供することを目的とする。
【課題を解決するための手段】
【０００８】
以下の構成はそれぞれ上記の課題を解決するための手段である。
〈構成１〉
建築物の壁躯体に対して所定の間隙をおいて設置された天井材の周縁に、前記間隙を遮蔽するように取り付けられる天井周りカバーであって、帯状の剛性板からなり、前記天井材の周縁に当接されるカバー本体と、前記カバー本体に幅方向に横断するように配置され、一端部が前記カバー本体の一方側縁に固定されて他端部により前記天井材の周縁に当接された前記カバー本体を前記天井材に保持する押えばねと、一端部が前記カバー本体の一方側縁に固定されて他端部により前記天井材の端面を受け止める受け止めばねとを備え、前記押えばねは、前記カバー本体の前記一方側縁に固定される端部の近傍部分が概略半円形状に湾曲成形され、他端部が前記カバー本体の他方側縁より外方に突出し、かつ前記カバー本体の平面部に対して外方に反り返るように屈曲して形成されていることを特徴とする天井周りカバー。
【０００９】
〈構成２〉
構成１に記載の天井周りカバーにおいて、前記天井材は建築物の天井躯体に吊り下げられて設置され、前記カバー本体は、長さ方向の一方側縁を折り曲げて立上げ部が設けられ、前記押えばねは、前記カバー本体の平面部に対して接離自在に弾性変形するように屈曲成形された帯状の板ばねからなり、平面部が前記カバー本体の平面部に対面して配置され、前記受け止めばねは、前記カバー本体の他方側縁に向かって伸縮自在に弾性変形するようにほぼＺ字型に屈曲成形された帯状の板ばねからなり、平面部が前記カバー本体の平面部に対して直交して配置されていることを特徴とする天井周りカバー。
【００１０】
〈構成３〉
構成１又は２に記載の天井周りカバーにおいて、前記受け止めばねは、前記天井材の端面を受け止める他端部が前記天井材の周縁厚みより大きい幅に形成されていることを特徴とする天井周りカバー。
【００１１】
〈構成４〉
構成１乃至３のいずれかに記載の天井周りカバーにおいて、前記カバー本体は、マグネシウム合金より形成されていることを特徴とする天井周りカバー。
【考案の効果】
【００１２】
〈構成１の効果〉
天井材の周縁に取り付ける際に、建築物の壁躯体と天井材との間隙にカバー本体の他方側縁を差し込みながらカバー本体と押えばねの反り返し他端部との間に天井材の周縁を挟み込むようにするだけでよいので、ねじ等の締付け具や取付工具等を使用しなくてもよく、各部品が予めカバー本体に固定されているので、簡単かつ容易に取り付けることができる。また、簡易な構造で天井材の変動に柔軟に追従して天井材の変動を確実に吸収でき、良好な外観を呈する。
〈構成２の効果〉
構造が簡単で取り扱い易い。
〈構成３の効果〉
天井材の端面を安定よく受け止めることができる。
〈構成４の効果〉
丈夫で軽量なので、手作業での天井周りへの取り付けを安全に行うことができる。
【図面の簡単な説明】
【００１３】
【図１】実施例１の天井周りカバー１０を示す斜視図である。
【図２】同天井周りカバーを構成する、カバー本体と押えばねを示す正面図である。
【図３】（ａ）は同天井周りカバーを構成する、カバー本体と受け止めばねを示す正面図、（ｂ）は同受け止めばねを示す斜視図である。
【図４】同天井周りカバーを取り付ける前の状態を示す平面図である。
【図５】同天井周りカバーを取り付けた後の状態を示す平面図である。
【図６】（ａ）〜（ｃ）は、同天井周りカバーの取付け手順を示す説明図である。
【考案を実施するための形態】
【００１４】
以下、本考案の実施の形態を詳細に説明する。
【実施例１】
【００１５】
図１は実施例１の天井周りカバー１０を示す図、図２は天井周りカバー１０のカバー本体２２に押えばね２４を取り付けた状態を示す図、図３（ａ）はそのカバー本体２２に受け止めばね２６を取り付け、この受け止めばね２６により天井材１６の端面を受け止めている状態を示す図、同（ｂ）は受け止めばね２６のみを示す図、図４は天井周りカバー１０を天井材１６に取り付ける前の状態を示す図、図５は天井周りカバー１０を天井材１６に取り付けた後の状態を示す図である。
【００１６】
天井周りカバー１０は、後述する図６（ａ）に示す建築物の壁躯体１２に対して所定の間隙１４をおいて設置された天井材１６の周縁に、間隙１４を遮蔽するように取り付けられる。天井材１６は、例えば厚さ１０ｍｍ程度の石膏ボードで、建築物の天井躯体１８に吊り金具２０を介して吊り下げられて設置されている。
【００１７】
天井周りカバー１０は、図１に示すようにカバー本体２２に、複数の押えばね２４と受け止めばね２６とを適当間隔で交互に配設したものである。
カバー本体２２は、例えば帯状のマグネシウム合金、アルミニウムあるいは強化プラスチック等の軽量な材料からなる剛性板であり、長さ方向に延びる一方側縁２２Ａを直角に折り曲げて立上げ部２２Ｄが設けられている。
【００１８】
押えばね２４は、帯状の板ばねの両端部を湾曲、屈曲成形したもので、カバー本体２２に幅方向に横断し、かつ平面部２４Ｄがカバー本体の平面部２２Ｃに並列に対面して配置され、カバー本体の平面部２２Ｃに対して接離自在に弾性変形するようにされている。
【００１９】
押えばね２４は、一端部２４Ａがリベット２７によりカバー本体２２の一方側縁２２Ａに固定される。押えばね２４の一端部２４Ａの近傍部分２４Ｃは概略半円形状に大きく湾曲成形されている。押えばね２４の他端部２４Ｂはカバー本体２２の他方側縁２２Ｂより外方に突出し、かつカバー本体２２の平面部２２Ｃに対して外方に反り返るように屈曲形成されている。
【００２０】
受け止めばね２６は、図３（ｂ）に示すようにカバー本体の他方側縁２２Ｂに向かって伸縮自在に弾性変形するようにほぼＺ字型に屈曲成形された帯状の板ばねであり、平面部２６Ｃがカバー本体２２の平面部２２Ｃに対して直交して配置されている。
【００２１】
受け止めばね２６は、図３（ａ）に示すように一端部２６Ａがカバー本体２２の立上げ部２２Ｄに固定されて他端部２６Ｂにより天井材１６の端面１６Ａを受け止めるようにするものである。
【００２２】
受け止めばね２６は、天井材１６の端面を受け止める他端部２６Ｂの幅Ｗが天井材１６の周縁厚みＴより大きい寸法とされている。このような寸法にすることにより、天井材１６の端面を安定よく受け止めることができる。
【００２３】
図６は、天井周りカバー１０を天井材１６の周りに取付ける手順を示す説明図で、（ａ）は天井周りカバー１０の取付け前の状態、（ｂ）は天井周りカバー１０の取付け途中の状態、（ｃ）は天井周りカバー１０の取付け後の状態をそれぞれ示している。
【００２４】
図６（ａ）に示すように、天井材１６は建築物の天井躯体１８に複数の吊り金具２０を介して吊り下げて設置されている。このとき壁躯体１２と天井材１６との間には５０ｍｍあるいは１００ｍｍ等の所定の間隙１４が設けられている。
【００２５】
本考案の天井周りカバー１０は、予め、壁躯体１２と天井材１６との間隙１４の大きさに対応した寸法に形成され、間隙１４を利用して天井材１６の周縁に取り付けられる。
【００２６】
天井周りカバー１０を、天井材１６の周縁に取り付けるには、図６（ｂ）に示すようにカバー本体の他方側縁２２Ｂを、壁躯体１２と天井材１６との間隙１４に差し込みながら、カバー本体２２と押えばねの他端部２４Ｂとの間に天井材１６の周縁を挟み込むようにする。
【００２７】
このとき、押えばねの一端部の近傍部分２４Ｃが概略半円形状に大きく湾曲成形されていることにより、押えばねの他端部２４Ｂを大きく開口させて天井材１６の周縁への挟み込みを容易にする。
【００２８】
押えばねの他端部２４Ｂにより天井材１６の周縁に当接されたカバー本体２２を天井材１６に保持する。すなわち、天井周りカバー１０は常時、天井材１６の周縁に保持された状態となる。
【００２９】
天井周りカバー１０の取り付け時には、ねじ等の締付け具や取付工具等を使用しないで、手作業で施行できる。なお、カバー本体の立上げ部２２Ｄに１か所もしくは数か所に透孔２８を設けておき、この透孔２８に紐状物（図示せず）を通してカバー本体２２を天井材１６に連結することにより、天井周りカバー１０が天井材１６から落下することを防止できる。
【００３０】
本考案の天井周りカバー１０は、全体構造が軽量なので、手作業での天井周りへの取り付けを簡単、安全に行うことができる。天井材１６の周縁に取り付ける際にカバー本体の他方側縁２２Ｂを壁躯体１２と天井材１６との間隙１４に差し込みながらカバー本体２２と押えばねの他端部２４Ｂとの間に天井材１６の周縁を挟み込むようにするだけでよい。したがって、大型店舗や大ホール等の大規模天井の天井材への取付けにも効率よく良好に対応できる。
【符号の説明】
【００３１】
１０  天井周りカバー
１２  壁躯体
１４  間隙
１６  天井材
１６Ａ  天井材の端面
１８  天井躯体
２０  吊り金具
２２  カバー本体
２２Ａ  カバー本体の一方側縁
２２Ｂ  カバー本体の他方側縁
２２Ｃ  カバー本体の平面部
２２Ｄ  立上げ部
２４  押えばね
２４Ａ  押えばねの一端部
２４Ｂ  押えばねの他端部
２４Ｃ  押えばね端部の近傍部分
２４Ｄ  押えばねの平面部
２６  受け止めばね
２６Ａ  受け止めばねの一端部
２６Ｂ  受け止めばねの他端部
２６Ｃ  受け止めばねの平面部
２７  リベット
２８  透孔
【図１】
0003177138.tif 000003
【図２】
0003177138.tif 000004
【図３】
0003177138.tif 000005
【図４】
0003177138.tif 000006
【図５】
0003177138.tif 000007
【図６】
0003177138.tif 000008